(57)【要約】  【課題】  コストが低く、長寿命であり、軽くて薄く、駆動が容易で、消費電力が低く、高明度を備え、色の変化が可能であると共に光線を均一化することができるボタン発光装置の提供。 【解決手段】  本考案のボタン発光装置は、少なくとも一組以上の透光性を備えたボタンと、その底部に設置された透光性を備えたボタン回路板と、該ボタン回路板に一組以上の接続配線を介して接続された回路板と、該回路板に設置された少なくとも一組以上の発光体と、該回路板上に設置され、該発光体を制御し動態的に発光させる制御回路と、該回路板と透光性を備えたボタン回路板の間に設置された導光板と、を含み、該導光板の側面と該発光体が相互に密接して設置され、該発光体が発光すると、その発する光線が導光板内で均一に拡散され、透光性を備えた該ボタン回路板とボタンを介して散出され、該ボタンから散出される該光線が、明度が均一で照度が安定した光線であることを特徴とする。  【選択図】    図３
0003113481.tif 000002
【実用新案登録請求の範囲】
【請求項１】
少なくとも一組以上の透光性を備えたボタンとその底部に設置された透光性を備えたボタン回路板と、該ボタン回路板に一組以上の接続配線を介して接続された回路板と該回路板に設置された少なくとも一組以上の発光体と該回路板上に設置され、該発光体を制御し動態的に発光させる制御回路と該回路板と透光性を備えたボタン回路板の間に設置された導光板とを含み、該導光板の側面と該発光体が相互に密接して設置され、該発光体が発光すると、その発する光線が導光板内で均一に拡散され、透光性を備えた該ボタン回路板とボタンを介して散出され、該ボタンから散出される該光線が、明度が均一で照度が安定した光線であることを特徴とする、ボタン発光装置。
【請求項２】
前記導光板が液晶ディスプレイパネルに対し明度が均一で照度が安定した光源照明を提供する、請求項１に記載のボタン発光装置。
【請求項３】
前記発光体が、単色発光体と多色発光体であり、さらにＳＭＤ−ＬＥＤ（Ｓｕｒｆａｃｅ−Ｍｏｕｎｔ  Ｄｅｖｉｃｅ  Ｌｉｇｈｔ  Ｅｍｉｔｔｉｎｇ  Ｄｉｏｄｅ：表面実装型発光ダイオード）、ＬＥＤ（Ｌｉｇｈｔ  Ｅｍｉｔｔｉｎｇ  Ｄｉｏｄｅ：発光ダイオード）、ELパネル、冷陰極管及び関連電子発光装置である、請求項１に記載のボタン発光装置。
【請求項４】
前記ボタンと透光性を備えたボタン回路板が、リモートコントローラのボタン、コンピュータキーボードのボタン、計算機のボタン、パームサイズ電子デバイスのボタン、電話機のボタン及びボタンを透光性を備えたボタン回路板上に設置した関連ボタン構造体である、請求項１に記載のボタン発光装置。
【考案の詳細な説明】
【技術分野】
【０００１】
本考案は、ボタン発光装置に関し、詳細には、透光性を備えたボタンの下に透光性を備えたボタン回路板及び導光板をそれぞれ設置し、且つ、該導光板の側面と発光体を相互に密着させ、発光体が光線を発するとき、光線が導光板内部で均一に拡散・伝送され、且つ、透光性を備えたボタン回路板及びボタンから射出され、この射出される光線が良好な明度と均一性を備えていることを特徴とする、ボタン発光装置に関する。
【０００２】
制御回路が発光体に対しオン・オフ、明度と色彩の制御を行い、このとき、光線が発光体から発生し導光板へと進入し、且つ、この光線が導光板内部で均一に拡散され、さらに透光性を備えたボタン回路板及びボタンから散出される。
【背景技術】
【０００３】
現行の電子製品において、ボタンは携帯電話、コンピュータキーボード、リモートコントローラ等の装置においてその大多数を占めている操作インターフェースであり、その使用時の利便性を向上するため、例えば、照明が不足している環境下での使用に対応し、多くがボタン回路に発光機能を増設している。
【０００４】
図１に示すように、制御回路板Ｂ上に複数の発光ダイオードＣ（長寿命で駆動が容易なことが特徴）を設置し、ボタンＡを制御回路板Ｂにかぶせた後、直接光線が散出されるものであるが、複数の発光ダイオードＣが同時に発光し、複数の点状の光源を形成するため、その光線の明度が平均的になりにくく、また発光明度を上げるためには、発光ダイオードＣを増設しなければならず、数量が多ければ相対してその消費電力量も高くなってしまう。
【０００５】
図２に示すように、  ELパネル（Electro Luminescent Panel）Ｄ（寿命が短く、駆動しにくいが、軽くて薄いことが特徴）をボタンＡと制御回路板Ｂの間に設置し、ボタンＡをELパネルＤにかぶせた後、光線を散出するものもあるが、現行のELパネルＤは明度が低く、また消費電力量が高く、同時にELパネルＤを動作させるには別途駆動回路Ｄ１を設置する必要があり、且つ、ELパネルＤは発光時に雑音を発する。
【考案の開示】
【考案が解決しようとする課題】
【０００６】
このため、本考案の目的は、コストが低く、長寿命であり、軽くて薄く、駆動が容易で、消費電力が低く、高明度を備え、色の変化が可能であると共に光線を均一化することができるボタン発光装置を提供することにある。
【課題を解決するための手段】
【０００７】
本考案のボタン発光装置は、少なくとも一組以上の透光性を備えたボタンと、その底部に設置された透光性を備えたボタン回路板と、該ボタン回路板に一組以上の接続配線を介して接続された回路板と、該回路板に設置された少なくとも一組以上の発光体と、該回路板上に設置され、該発光体を制御し動態的に発光させる制御回路と、該回路板と透光性を備えたボタン回路板の間に設置された導光板と、を含み、該導光板の側面と該発光体が相互に密接して設置され、該発光体が発光すると、その発する光線が導光板内で均一に拡散され、透光性を備えた該ボタン回路板とボタンを介して散出され、該ボタンから散出される該光線が、明度が均一で照度が安定した光線であることを特徴とする。      
【考案の効果】
【０００８】
本考案の進歩性と実用性をよりはっきりと示すため、以下、従来品と比較して分析する。
《従来品の欠点》
一、発光ダイオードを採用したもの：
１、発光明度が不均一である。
２、明度を均一にしようとすると、使用する必要数量が多くなる。
３、使用数量が多いと消費電力量も高くなる。
二、ELパネルを採用したもの：
１、発光明度が低く、発光効果に優れない。
２、別途駆動回路を設置しなければならず、コストが増加する。
３、電力消費量が大きく、連続使用できる時間が短い。
４、発光時に雑音を発する。
三、長時間使用できない。
四、電力消費量が高くなりがちで、連続使用時間が短縮される。
五、光線が変化に乏しい。
【０００９】
《本考案の利点》
一、組み立てが容易で、コストが低い。
二、電力消費量が低く、連続使用時間を長くできる。
三、発光明度が高く、且つ光線の明度が均一である。
四、別途駆動回路を設けなくとも発光させることができる。
五、動態の発光効果を備えている。
六、発光構造の互換性が高く、現行のボタン構造に適用できる。
七、進歩性、実用性、利便性を備えている。
八、産業的競争力を向上できる。
【考案を実施するための最良の形態】
【００１０】
以下、本考案について図面と具体的な実施例に基づき詳細に説明する。
【実施例１】
【００１１】
本考案のボタン発光装置は、図３及び図４に示すように、透光性を備えたボタンＡ、透光性を備えたボタン回路板Ａ１、制御回路板Ｂ、導光板Ｆから構成される。
【００１２】
そのうち、制御回路板Ｂには、発光体Ｅが発する光線の色、光線の強度、発光時間（周期、周波数等）等の関連動態発光ディスプレイを制御するために用いる制御回路Ｂ１を設け、透光性を備えたボタン回路板Ａ１には、上述の制御回路板Ｂと相互接続された接続配線Ａ２を設ける。
【００１３】
その構造の特徴は、ボタンＡを透光性を備えたボタン回路板Ａ１上にかぶせ、さらにこのボタン回路板A１を導光板Ｆ上に置き、発光体Ｅとこの導光板Ｆの側面を相互に密着させることにある。
【００１４】
制御回路Ｂ１は、発光体Ｅに対しオン・オフ、明度、色彩の制御を行い、このとき、光線Ｇが発光体Ｅから導光板Ｆに進入し、且つ、導光板Ｆ内部で均一に拡散され、透光性を備えたボタン回路板Ａ１とボタンＡから散出され、この散出される光線Ｇは明度が均一の高明度の光線Ｇとなる。
【００１５】
そのうち、発光体は単色の発光体、多色の発光体とし、且つ、さらにＳＭＤ−ＬＥＤ（Ｓｕｒｆａｃｅ−Ｍｏｕｎｔ  Ｄｅｖｉｃｅ  Ｌｉｇｈｔ  Ｅｍｉｔｔｉｎｇ  Ｄｉｏｄｅ：表面実装型発光ダイオード）、ＬＥＤ（Ｌｉｇｈｔ  Ｅｍｉｔｔｉｎｇ  Ｄｉｏｄｅ：発光ダイオード）、ELパネル、冷陰極管及び関連電子発光装置とすることができる。
【００１６】
ボタンＡとボタン回路板Ａ１はさらに、パーソナルコンピュータのキーボードボタン、ノートブックコンピュータのキーボードボタン、電子計算機のボタン、パームサイズ電子デバイスのボタン、電話機のボタン、携帯電話のボタン、家庭用電器リモートコントローラのボタン及び関連のボタンをボタン回路板にかぶせる形態のボタン装置とすることができ、且つ、上述のボタン及びボタン回路板は透光性を備えているものとする。
【００１７】
本考案の実施方法を図５、図６及び図７に示す。リモートコントローラＨ、キーボードＩ、電話機Ｊ内部の制御回路板Ｂ上に順序に従い導光板Ｆ、透光性を備えたボタン回路板Ａ１とボタンＡを設置し、制御回路Ｂ１が発光体Ｅが発する光線を制御する。このとき、光線Ｇは発光体Ｅから導光板Ｆへと進入し、導光板Ｆ内部で均一に拡散され、光線Ｇがさらに透光性を備えたボタン回路板Ａ１とボタンＡから散出される。
また、透光性を備えたボタンＡとボタン回路板Ａ１は透光材質とし、このときボタンＡから散出される光線Ｇは明度が均一な高明度の光線Ｇとなる。
【実施例２】
【００１８】
図３に示すように、発光体Ｅは制御回路板Ｂ上に設けるほか、図８に示すように、独立した発光体Ｅ１として設けることもでき、発光体Ｅ、Ｅ１を導光板Ｆ側面の横に入光位置に密着させて置き、順序に従い透光性を備えたボタン回路板Ａ１とボタンＡを設置し、且つ、接続配線Ａ２を用いて透光性を備えたボタン回路板Ａ１を制御回路板Ｂと相互に接続する。
【００１９】
制御回路Ｂ１は、発光体Ｅに対しオン・オフ、明度、色彩の制御を行い、このとき、光線が発光体Ｅ、Ｅ１から導光板Ｆに進入し、且つ、導光板Ｆ内部で均一に拡散されて透光性を備えたボタン回路板Ａ１とボタンＡから散出される。
【００２０】
また、透光性を備えたボタンＡとボタン回路板Ａ１は透光材質とし、このときボタンＡから散出される光線は明度が均一な高明度の光線となる。
【００２１】
さらに、液晶ディスプレイパネルＡ３を設ける場合（図９及び図１０参照）、上述の光線Ｇはさらに液晶ディスプレイパネルＡ３に明度が均一な高明度の照明を提供することができる。
【００２２】
以上で述べた説明は、本考案の最良の実施例に基づくものであり、本考案の権利範囲を制限するものではなく、本考案の明細書及び図面の内容を運用した同等の効果を得る構造を直接的または間接的にその他関連技術領域に応用したものはすべて、本考案の要旨の範囲内に含まれるものとみなす。
【００２３】
上述のように、本考案は従来技術を打破する構造の下、確実にその増進を図る効果を得ることができ、且つ、当該技術を熟知した者でなくとも容易に理解することができ、さらに、本考案はその出願以前に公開されたことがなく、その進歩性と実用性は実用新案登録出願の要件を満たしているため、法に基づきここに実用新案登録を出願するものである。
【図面の簡単な説明】
【００２４】
【図１】従来の発光ダイオードを用いた発光ボタンの立体分解図である。
【図２】従来のELパネルを用いた発光ボタンの立体分解図である。
【図３】本考案の実施例１の立体分解図である。
【図４】本考案の断面図である。
【図５】本考案をリモートコントローラに実施した状態を示す立体断面図である。
【図６】本考案をコンピュータキーボードに実施した状態を示す立体断面図である。
【図７】本考案を電話機に実施した状態を示す立体断面図である。
【図８】本考案の実施例２の立体分解図である。
【図９】本考案の実施例１に液晶ディスプレイパネルを組み込んだ実施例を示す立体分解図である。
【図１０】本考案の実施例２に液晶ディスプレイパネルを組み込んだ実施例を示す立体分解図である。
【符号の説明】
【００２５】
A        ボタン
A１      ボタン回路板
A２      接続配線
A３      液晶ディスプレイパネル
B        制御回路板
B１      制御回路
C        発光ダイオード
D        ELパネル
D１      駆動回路
E、E１    発光体
F        導光板
G        光線
H        リモートコントローラ
I        コンピュータキーボード
J        電話機
【図１】
0003113481.tif 000003
【図２】
0003113481.tif 000004
【図３】
0003113481.tif 000005
【図４】
0003113481.tif 000006
【図５】
0003113481.tif 000007
【図６】
0003113481.tif 000008
【図７】
0003113481.tif 000009
【図８】
0003113481.tif 000010
【図９】
0003113481.tif 000011
【図１０】
0003113481.tif 000012